(57)【要約】【課題】  本発明は、駆動部材により、カバーをベースに沿ってスライダさせる過程中に、カバーとベースとの間に相対的なずれが生じることを防止できるゼロ挿入力電気コネクタを提供することを目的とする。【解決手段】  本発明のゼロ挿入力電気コネクタは、複数の収容孔が設けられるベースと、前記収容孔に装着される複数の導電端子と、前記ベースにスライド可能に組付けられるカバーと、前記ベースとカバーとの間に回転可能に組み込まれる駆動部材とを含んでいる。前記ベースには凸部が延出され、カバーには前記凸部に対応した箇所に該凸部に係合する収容溝が設けられ、該凸部は、主体部と、前記主体部の一端から延出された係合部とを含み、前記主体部及び係合部の間にスリットが形成される。こうして、カバーとベースとの間に相対的なずれが生じることを防止でき、更に、チップモジュールとゼロ挿入力電気コネクタとの間の電気的に安定した接続が達成できる。【選択図】図２
2005285737.tif 000002
【特許請求の範囲】
【請求項１】
複数の収容孔が設けられるベースと、
前記収容孔に装着される複数の導電端子と、
前記ベースにスライド可能に組付けられるカバーと、
前記ベースとカバーとの間に回転可能に組み込まれる駆動部材と
を含んで、前記ベースとカバーとの一方には凸部が延出され、他方には前記凸部に対応した箇所に該凸部に係合する収容溝が設けられ、該凸部は、主体部と、該主体部の一端から前記カバーが前記ベースに沿ってスライドする方向に直交した方向に沿って延出された係合部とを含み、前記主体部及び係合部の間にスリットが形成されることを特徴とする相手コネクタと係合できるゼロ挿入力電気コネクタ。
【請求項２】
前記凸部は前記ベースに設けられ、前記収容溝が前記カバーに設けられることを特徴とする請求項１に記載のゼロ挿入力電気コネクタ。
【請求項３】
前記凸部は前記カバーに設けられ、前記収容溝が前記ベースに設けられることを特徴とする請求項１に記載のゼロ挿入力電気コネクタ。
【請求項４】
前記カバーが前記ベースに沿ってスライドする方向に平行な方向で、前記収容溝の寸法は前記凸部の寸法より大きく、前記カバーが前記ベースに沿ってスライドする方向に直交した方向で、前記収容溝は前記凸部に密に係合されることを特徴とする請求項１に記載のゼロ挿入力電気コネクタ。
【請求項５】
前記凸部の係合部には、前記収容溝内に弾性的に係合される係止塊が設けられることを特徴とする請求項２或いは３記載のゼロ挿入力電気コネクタ。
【請求項６】
前記ベースは、該ベースの両側に設けられる一対の凸部を有していることを特徴とする請求項２に記載のゼロ挿入力電気コネクタ。
【請求項７】
前記カバーは、該カバーの両側に設けられる一対の凸部を有していることを特徴とする請求項３に記載のゼロ挿入力電気コネクタ。
【請求項８】
前記ベースに設けられる収容溝には、前記凸部の係合部に係合する階段部が設けられることを特徴とする請求項３に記載のゼロ挿入力電気コネクタ。
【請求項９】
ベースと、
前記ベースに装着される複数の導電端子と
前記ベースにスライド可能に組付けられるカバーと
を含んで、前記ベースとカバーとの間に該ベース及びカバーを可動に連接する凸部が装着され、該凸部は、主体部と、該主体部の一端から前記カバーが前記ベースに沿ってスライドする方向に直交した方向に沿って延出された係合部とを含み、前記主体部及び係合部の間にスリットが形成されることを特徴とする相手コネクタと配合できるゼロ挿入力電気コネクタ。
【請求項１０】
前記凸部は前記ベースに設けられ、前記収容溝が前記カバーの前記凸部に対応した箇所に設けられることを特徴とする請求項９に記載のゼロ挿入力電気コネクタ。
【請求項１１】
前記凸部は前記カバーに設けられ、前記収容溝が前記ベースの前記凸部に対応した箇所に設けられることを特徴とする請求項９に記載のゼロ挿入力電気コネクタ。
【請求項１２】
前記カバーが前記ベースに沿ってスライドする方向に平行な方向で、前記収容溝の寸法は前記凸部の寸法より大きく、前記カバーが前記ベースに沿ってスライドする方向に直交した方向で、前記収容溝は前記凸部に密に係合されることを特徴とする請求項１０或いは１１に記載のゼロ挿入力電気コネクタ。
【発明の詳細な説明】
【技術分野】
【０００１】
本発明は、ゼロ挿入力（Zero Insertion Force，ZIF）電気コネクタに関し、特にチップモジュールと回路基板とを電気的に接続できるゼロ挿入力電気コネクタに関するものである。
【背景技術】
【０００２】
従来の技術によるゼロ挿入力電気コネクタに関して図１に示すように、該ゼロ挿入力電気コネクタ１は、チップモジュール（図示せず）を載置し且つ該チップモジュールと回路基板（図示せず）とを電気的に接続するのに用いられるものであり、矩形板状を呈するベース２と、該ベース２にスライド可能に係合されるカバー３と、前記ベース２及びカバー３を貫通し、カム４１とリベットシート４２とを備える駆動装置とを含んでいる。（例えば、特許文献１ないし特許文献３参照）。
【０００３】
前記ベース２には、上表面から下表面を貫通する複数の収容孔２１が設けられて、各収容孔２１に導電端子がそれぞれ装着され、該ベース２の一端からフラットホーム２２が一体に延出して形成され、フラットホーム２２の中央部に矩形状をなすベースホール２２１が設けられる。前記カバー３はチップモジュールを載置するのに用いられ、前記ベース２の収容孔２１に対応した箇所に貫通溝３１が設けられ、該貫通溝３１がチップモジュールの挿入ピン（図示せず）を収容するように設けられる。該カバー３は、前記ベース２のフラットホーム２２に対応した箇所から平台部３２が一体に延出して形成され、該カバー３の平台部３２には前記フラットホーム２２のベースホール２２１に対応したカバーホール３２１が設けられる。
【０００４】
前記駆動装置は、カム４１とリベットシート４２とを含み、前記カム４１は、直径が順に減少し且つ軸線位置が異なる複数の円柱体からなる。取り付けた際、前記カム４１の各円柱体が前記カバーホール３２１及びベースホール２２１を順に貫通し、前記カム４１の末端の円柱体にリベットシート４２が嵌められ、且つ、該リベットシート４２が円柱体をリベット締めすることにより、前記ゼロ挿入力電気コネクタ１が組み合わせられる。
【０００５】
しかしながら、該ゼロ挿入力電気コネクタ１のカム４１は、偏心させて設けられ且つ前記ベース２及びカバー３によって直接作動されるため、駆動モーメントにより回転する時、作用力がゼロ挿入力電気コネクタ１の中心を通らないことで、前記ベース２とカバー３との間に相対的なずれが生じる可能性もある。こうして、チップモジュールの挿入ピンが多い場合では、一部分のチップモジュールの挿入ピンを導電端子と確実に接続できずに、前記挿入ピンと導電端子との間をより良く導通することができない。更に、チップモジュールとゼロ挿入力電気コネクタとの間の電気的に安定した接続が達成できない。
【０００６】
そこで、前記従来のゼロ挿入力電気コネクタの欠点を改良し、新型のゼロ挿入力電気コネクタを開発する必要がある。
【特許文献１】米国特許第６，３３８，６４０号明細書
【特許文献２】米国特許第６，４３１，９００号明細書
【特許文献３】米国特許第６，５７９，１１２号明細書
【発明の開示】
【発明が解決しようとする課題】
【０００７】
本発明は、駆動部材により、カバーをベースに沿ってスライドさせる過程中に、カバーとベースとの間に相対的なずれが生じることを防止できるゼロ挿入力電気コネクタを提供することを目的とする。
【課題を解決するための手段】
【０００８】
前記の目的を達成するために、本発明のゼロ挿入力電気コネクタは、複数の収容孔が設けられるベースと、前記収容孔に装着される複数の導電端子と、前記ベースにスライド可能に組付けられるカバーと、前記ベースとカバーとの間に回転可能に組み込まれる駆動部材とを含んでいる。前記ベースとカバーとの一方には凸部が延出され、他方には前記凸部に対応した箇所に該凸部に係合する収容溝が設けられ、該凸部は、主体部と、該主体部の一端から前記カバーが前記ベースに沿ってスライドする方向に直交した方向に沿って延出された係合部とを含み、前記主体部及び係合部の間にスリットが形成される。
【発明の効果】
【０００９】
従来の技術に比べると、本発明は以下の長所がある。本発明のゼロ挿入力電気コネクタのカバーは駆動部材により、ベースに相対してスライドする時、作用力が該ゼロ挿入力電気コネクタの中心を通らなくても、凸部が収容溝に係合して固定作用を提供することにより、カバーとベースとの間に相対的なずれが生じることを防止でき、チップモジュールの挿入ピンを導電端子と確実に接続させる。更に、チップモジュールとゼロ挿入力電気コネクタとの間の電気的に安定した接続が達成できる。
【発明を実施するための最良の形態】
【００１０】
図２ないし図５に示すように、チップモジュール（図示せず）と回路基板（図示せず）とを電気的に接続するのに用いられる本発明の電気コネクタ５は、ベース６と、カバー７と、複数の導電端子（図示せず）と、駆動部材８と、リベットシート９とを含んでいる。
【００１１】
図２に示すように、前記ベース６は、ほぼ矩形板状に形成された絶縁ハウジング６１と、該絶縁ハウジングの一端部から一体に延出されたフラットホーム６２と、「Ｔ」の字状のパッド６３とを含んでいる。前記絶縁ハウジング６１には、ベース６を直交する方向に貫通してそれぞれ離間した複数の収容孔６１１が設けられて、複数の導電端子を挿着するために用いられ、該絶縁ハウジング６１の相対した両側壁６１２には、それぞれ離間した一対の凸塊６１３が延出されている。
【００１２】
前記フラットホーム６２の回路基板と接触する側の中央には、前記パッド６３が収容される「Ｔ」の字状の凹溝６２６が設けられ、該凹溝６２６の底面に駆動部材８の対応部分が装着されるベースホール６２０が貫設される。前記ベース６のカバー７と接触する側には、一対の凸部６２１が設けられ、本実施形態においては、該凸部６２１が前記フラットホーム６２のベースホール６２０の両側にそれぞれ設置される。該凸部６２１は、主体部６２２と、該主体部６２２の一端から前記カバー７が前記ベース６に沿ってスライドする方向に直交した方向に沿って延出され、その頂端に係止塊６２５を備えた係合部６２３とを含んで、前記主体部６２２及び係合部６２３の間にスリット６２４が形成される。前記パッド６３は、圧入または嵌め込み細工で前記フラットホーム６２の凹溝６２６に装着され、前記ベースホール６２０に対応した中心孔６３０が設けられる。
【００１３】
前記カバー７は、前記ベース６にスライド可能に組付けられるものであり、絶縁材料からなる矩形状を呈する絶縁本体７１と、該絶縁本体７１の一端から一体に延出された平台部７２と、固定片７３と、押圧板７４とを含んでいる。前記絶縁本体７１に前記ベース６の収容孔６１１に対応した複数の通路７１１が設けられ、該通路７１１が前記チップモジュールの挿入ピンを収容するのに用いられる。
【００１４】
前記絶縁本体７１の相対する両側縁から一対の側壁７１２が下方向に向けて延出され、該側壁７１２の内側に前記ベース６の凸塊６１３をスライド可能に収容するロック溝７１３が凹設される。該カバー７の側壁７１２には、前記絶縁本体７１と連接し且つ該絶縁本体７１の対称軸線に近接する箇所に凹部７１４がそれぞれ設けられる。該凹部７１４を介して、操作者が前記チップモジュールを取り付けるまたは取り外すことが便利になる。
【００１５】
前記カバー７の平台部７２には前記ベースホール６２０に対応したカバーホール７２０が設けられ、前記ベース６の凸部６２１に対応した箇所に収容溝７２１が設けられる。前記平台部７２には、前記チップモジュールと接続する側に位置する第１凹部７２２と、ベース６と接続する他方側に位置する第２凹部７２３がそれぞれ設けられる。前記固定片７３は、前記第１凹部７２２内に装着され、前記ベースホール６２０に対応した箇所に第１中央孔７３０が設けられ、且つ前記凸部６２１に対応した箇所に第１貫通孔７３１が設けられる。前記押圧板７４は、圧入または嵌め込み細工で前記第２凹部７２３内に装着され、前記ベースホール６２０に対応した箇所に第２中央孔７４０が設けられ、且つ前記凸部６２１に対応した箇所に第２貫通孔７４１が設けられ、更に該押圧板７４に一対の当止部７４２が設けられる。
【００１６】
前記カバー７が前記ベース６に沿ってスライドする方向に平行な方向で、前記カバー７の収容溝７２１と、前記固定片７３の第１貫通孔７３１と、前記押圧板７４の第２貫通孔７４１との寸法は、前記凸部６２１の寸法より大きいことで、前記カバー７が前記ベース６に沿ってスライド可能な空間を提供できる。前記カバー７が前記ベース６に沿ってスライドする方向に直交した方向で、前記カバー７の収容溝７２１と、前記固定片７３の第１貫通孔７３１と、前記押圧板７４の第２貫通孔７４１とは、前記凸部６２１にそれぞれ密に係合されることにより、前記カバー７と前記ベース６との間に相対的なずれが生じることを防止できる。
【００１７】
前記駆動部材８は、上方から下方へ一体に繋がり且つ直径が順に減少する、第１円柱体８１と、第２円柱体８２と、第３円柱体８３と、第４円柱体８４と、前記第２円柱体８２の側縁から外へ延出される凸体８５とを含んでいる。前記第１円柱体８１と第２円柱体８２と第３円柱体８３とは、前記固定片７３の第１中央孔７３０及びカバーホール７２０と、押圧板７４の第２中央孔７４０と、ベースホール６２０及びパッド６３の中心孔６３０とにそれぞれ収容される。前記第４円柱体８４は前記リベットシート９に接合される。
【００１８】
前記固定片７３の第１中央孔７３０及びカバーホール７２０とベースホール６２０及びパッド６３の中心孔６３０との直径は、第１円柱体８１と第３円柱体８３との直径とほぼ同じで、且つこれらは隙間を有するように係合されている。前記押圧板７４の第２中央孔７４０の短辺の長さは第２円柱体８２の直径とほぼ同じで、その長辺の長さは第２円柱体８２の直径より大きく、こうして第２中央孔７４０内に前記第２円柱体を係合し、その長辺に沿ってスライド可能な空間を提供できる。
【００１９】
前記押圧板７４が前記カバー７の平台部７２の第２凹部７２３内に嵌められた時に、前記当止部７４２により、該押圧板７４と前記平台部７２との間に空間（記号なし）が形成され、前記凸体８５は、前記空間内に収容され、且つ、その移動軌道が制限される。前記第１円柱体８１と第３円柱体８３と第４円柱体８４とは、共軸に設けられ、前記第２円柱体８２は、第１円柱体８１、第３円柱体８３及び第４円柱体８４に対して偏心した位置に設けられる。
【００２０】
前記偏心した構造を介して、ネジ回し或いはその他の工具（図示せず）により、前記駆動部材８を回転できるようになっており、更に、前記カバー７を駆動し、前記ベース６に相対して第一位置（図４に示すように）と第二位置（図５に示すように）との間でスライドさせることができる。第一位置の場合、前記チップモジュールの挿入ピンが、前記カバー７の複数の通路７１１内に挿入されるが、該ゼロ挿入力電気コネクタ５の導電端子から離脱するようにする。第二位置の場合、チップモジュールの挿入ピンと該ゼロ挿入力電気コネクタ５の導電端子とを電気的に接続するようにする。
【００２１】
取り付ける際には、まず前記押圧板７４を前記カバー７の第２凹部７２３内に圧入するまたは嵌め込み、前記パッド６３を前記ベース６の凹溝６２６内に圧入するまたは嵌め込む。次に、前記カバー７を前記ベース６上に組付けてから、前記固定片７３を前記平台部７２の第1凹部７２２内に装着させる。最後に、前記駆動部材８を上方から下方へ前記カバー７とベース６内に組み込んでから、前記リベットシート９を介して駆動部材８の第４円柱体８４の末端（記号なし）をリベット接合することによって、駆動部材８を前記カバー７及びベース６の間に安定して結合させる。
【００２２】
図４及び図５に示すように、取り付けた時に、前記カバー７がベース６に沿ってスライドする方向に直交した方向で、前記駆動部材８の第１円柱体８１及び前記固定片７３の第１中央孔７３０の間と、前記凸部６２１及び固定片７３の第１貫通孔７３１の間とにはそれぞれ空間が形成される。前記カバー７がベース６に沿ってスライドする方向に平行な方向で、前記凸部６２１の係合部６２３は、前記押圧板７４の第２貫通孔７４１及びカバー７の収容溝７２１を貫通してから、該係合部６２３の係止塊６２５が固定片７３の第１貫通孔７３１の側縁に弾性的に係合される。
【００２３】
こうして、駆動部材８により、前記カバー７をベース６に対してスライドする時、カバー７とベース６との間に相対的なずれが生じることを防止でき、且つ、チップモジュールの挿入ピンが多い場合でも、あらゆる挿入ピンを導電端子と確実に接続することを保障でき、更に前記チップモジュールとゼロ挿入力電気コネクタ５との電気的に安定した接続が達成できる。
【００２４】
また、前記カバー７は押圧板７４を備えなくてもいい。前記カバー７が押圧板７４を備えない場合、前記駆動部材８の回転を制限する当止部７４２は固定片７３の対応した箇所に設けられ、これに対応して、駆動部材８の凸体８５が第１円柱体８１の側縁から外へ延出される。
【００２５】
図６に、本発明のもう一つ実施の形態のゼロ挿入力電気コネクタ５’を示す。該ゼロ挿入力電気コネクタ５’は、カバー６’と、ベース７’と、駆動部材８’とを含んでいる。前記カバー６’の前記ベース７’と接触する側には凸部６２１’が設けられる。該凸部６２１’は、主体部６２２’と、該主体部６２２’の一端からカバー６’がベース７’に相対してスライドする方向に直交する方向に沿って延出された係合部６２３’と含んで、前記係合部６２３’の頂端に係止塊６２５’が設けられる。前記ベース７’の前記カバー６’の凸部６２１’に対応した箇所には、階段部７２３’を備える収容溝７２１’が設けられる。取り付ける時、前記凸部６２１’の係合部６２３’を前記ベース７’の階段部７２３’に係合させる。
【００２６】
総じて、本発明の多数の特徴及び長所など、その構造及び機能が共に前述の記載により掲げられている。また前記の説明は、本発明に基づきなしうる細部の修正或いは変更など、いずれも本発明の請求範囲に属するものとする。
【図面の簡単な説明】
【００２７】
【図１】従来のゼロ挿入力電気コネクタの分解斜視図である。
【図２】本発明のゼロ挿入力電気コネクタの分解斜視図である。
【図３】本発明のゼロ挿入力電気コネクタのほかの角度から見る分解斜視図である。
【図４】本発明のゼロ挿入力電気コネクタのカバーを第一位置にした時の組立斜視図である。
【図５】本発明のゼロ挿入力電気コネクタのカバーを第二位置にした時の組立斜視図である。
【図６】本発明のゼロ挿入力電気コネクタのもう一つの実施の形態の組立斜視図である。
【符号の説明】
【００２８】
１、５、５’  ゼロ挿入力電気コネクタ
２、６、７’  ベース
３、７、６’  カバー
８  駆動部材
９、４２  リベットシート
２１、６１１  収容孔
２２、６２  フラットホーム
３２、７２  平台部
４１  カム
６１  絶縁ハウジング
６３  パッド
７１  絶縁本体
７３  固定片
７４  押圧板
８１  第１円柱体
８２  第２円柱体
８３  第３円柱体
８４  第４円柱体
８５  凸体
２２１、６２０  ベースホール
３２１、７２０  カバーホール
６１２、７１２  側壁
６１３  凸塊
６２１、６２１’  凸部
６２２、６２２’  主体部
６２３、６２３’  係合部
６２４  スリット
６２５、６２５’  係止塊
６２６  凹溝
６３０  中心孔
７１３  ロック溝
７１４  凹部
７２１  収容溝
７２２  第１凹部
７２３  第２凹部
７２３’  階段部
７３０  第１中央孔
７３１  第１貫通孔
７４０  第２中央孔
７４１  第２貫通孔
７４２  当止部
【図１】
2005285737.tif 000003
【図２】
2005285737.tif 000004
【図３】
2005285737.tif 000005
【図４】
2005285737.tif 000006
【図５】
2005285737.tif 000007
【図６】
2005285737.tif 000008